(57)【要約】【目的】放送受信装置が録画装置に制御信号を送出するコントロールシステムにおいて低コスト化と見栄えの向上を図ることを目的とする。【構成】ユーザはリモコン送信機１１を用いて録画予約を行ない、テレビＯＦＦを行なった後、リモコン送信機１１とテレビジョンセット１に制御信号コード４を接続する。テレビジョンセット１は、予約番組の放送開始時になると受信処理を実行して映像／音声をＡＶコード２に出力すると共に、ビデオカセットレコーダ３の電源ＯＮ及び録画開始を示す制御信号を制御信号出力端子１ｂから出力する。この制御信号はコード４を介してリモコン送信機１１の制御信号入力端子１１ａに与えられ、リモコン送信機１１の発光部が制御信号に対応して明滅することでビデオカセットレコーダ３用のリモコン信号が送出されることになる。【選択図】                図１
2004235900.tif 000002
【特許請求の範囲】
【請求項１】
放送受信装置が録画装置に制御信号を送出するコントロールシステムにおいて、前記放送受信装置のリモコン送信機は、前記制御信号が伝送されるコードの装着端子を備え、前記コードの装着状態では前記制御信号にて前記リモコン送信機の信号送出部が駆動されるように構成されたことを特徴とするコントロールシステム。
【請求項２】
請求項１に記載のコントロールシステムにおいて、前記制御信号の出力端子が前記放送受信装置の前面側に設けられていることを特徴とするコントロールシステム。
【請求項３】
請求項１又は請求項２に記載のコントロールシステムにおいて、前記リモコン送信機には、前記信号送出部から送出される信号の強度を調節する調節手段が設けられていることを特徴とするコントロールシステム。
【請求項４】
請求項１乃至請求項３のいずれかに記載のコントロールシステムにおいて、前記放送受信装置は録画予約がなされてから録画を実行するまでの間、前記コードをリモコン送信機に装着することを促すメッセージを所定のタイミングで出力するように構成されたことを特徴とするコントロールシステム。
【発明の詳細な説明】
【０００１】
【産業上の利用分野】
この発明は、放送受信装置によって録画装置を制御するコントロールシステムに関する。
【０００２】
【従来の技術】
従来より、ビデオカセットレコーダ（ＶＣＲ）を用い、予約した番組が開始される時刻になると自動的に予約チャンネルを設定して受信した番組を記録することが行われている。更に、近年、ＢＳ・ＣＳ内蔵テレビジョンセットなどでは前記ビデオカセットレコーダを制御するためのリモートコントローラの装着を可能とし、予約した番組が開始される時刻になると上記リモートコントローラによってビデオカセットレコーダを自動操作し、受信したディジタル放送番組を当該ビデオカセットレコーダに録画させるコントロールシステムがある（特許文献１参照）。
【０００３】
【特許文献１】
特開２００１−１４５０５２号公報
【０００４】
図３は従来のコントロールシステムを示している。ＡＶコード２２の一端側はテレビジョンセット２１のＡＶ出力端子２１ａに接続され、他端側はビデオカセットレコーダ２３のＡＶ入力端子２３ａに接続されており、テレビジョンセット２１が受信した映像／音声はＡＶコード２２を介してビデオカセットレコーダ２３に与えられる。そして、テレビジョンセット２１の背面側に設けられた制御信号出力端子２１ｂにリモートコントローラ２４の制御信号コード２４ａが接続され、リモートコントローラ２４の本体部（赤外光発光部）２４ｂはビデオカセットレコーダ２３の近傍（リモコン信号受光部近傍）に設置される。
【０００５】
テレビジョンセット２１のリモコン送信機２１ｃを用いて録画予約の指令を与えると、受信開始時刻情報や受信チャンネル情報などがテレビジョンセット２１のメモリに格納される。テレビジョンセット２１は、予約番組の放送開始時になると、受信チャンネル設定処理及び受信処理を実行して映像／音声をＡＶコード２２に出力すると共に、ビデオカセットレコーダ２３の電源ＯＮ及び録画開始を示す信号を制御信号出力端子２１ｂから出力する。この信号は、制御信号コード２４ａを介して本体部２４ｂに与えられ、本体部２４は前記信号によって赤外線発光ダイオードを明滅させることでリモコン信号を送出する。このリモコン信号はビデオカセットレコーダ２３の受光部に与えられ、ビデオカセットレコーダ２３は電源ＯＮして録画処理を開始する。
【０００６】
【発明が解決しようとする課題】
しかしながら、上記従来のコントロールシステムでは、リモートコントローラ２４を付属品として支給するか或いは別途購入をユーザに求めることになり、その分、コストが割高になる不満がある。また、液晶表示パネルやＰＤＰなどのフラットディスプレイパネルを用いるテレビジョンセットにおいては、その設置台も薄型となり、リモートコントローラ２４の本体部２４ｂの設置が行い難く、設置できたとしても見栄えが悪いものとなる。
【０００７】
この発明は、上記の事情に鑑み、放送受信装置が録画装置を制御するコントロールシステムの低コスト化と見栄えの向上を図ることを目的とする。
【０００８】
【課題を解決するための手段】
この発明のコントロールシステムは、上記の課題を解決するために、放送受信装置が録画装置に制御信号を送出するコントロールシステムにおいて、前記放送受信装置のリモコン送信機は、前記制御信号が伝送されるコードの装着端子を備え、前記コードの装着状態では前記制御信号にて前記リモコン送信機の信号送出部が駆動されるように構成されたことを特徴とする。
【０００９】
上記の構成であれば、放送受信装置のリモコン送信機を利用して録画装置の制御が行なわれることになるため、従来のリモートコントローラにおけるコード相当部分を用意すれば足り、本体部に相当するものは不要にできるため、低コスト化が図れる。また、録画予約を行なったとき（少なくとも録画実行時）に前記コードが接続されていればよく、それ以外のときにはコードは不要であり、見栄えもよくなる。
【００１０】
前記制御信号の出力端子が前記放送受信装置の前面側に設けられているのがよい。これによれば、前記コードを前記放送受信装置に接続する作業が行ないやすくなる。
【００１１】
前記リモコン送信機には前記信号送出部から送出される信号の強度を調節する調節手段が設けられているのがよい。リモコン送信機にて録画装置を制御するときには、リモコン送信機が録画装置のすぐ近くに置かれることが予想される。このような状態では、録画装置に与えられるリモコン信号の相対的な強度が高くなり、直接入力のリモコン信号と何かに反射して入力されたリモコン信号とによって録画装置が誤動作するおそれがある。前記調節手段が設けられていることで、録画装置の誤動作を防止することができる。
【００１２】
前記放送受信装置は、録画予約がなされてから録画を実行するまでの間、前記コードをリモコン送信機に装着することを促すメッセージを所定のタイミングで出力するように構成されているのがよい。予約実行時にコードがリモコン送信機に接続されていないのでは録画は実行できない。上記メッセージが出力されることで、コードの装着忘れを防止できる。
【００１３】
【発明の実施の形態】
以下、この発明の実施形態のコントロールシステムを図１及び図２に基づいて説明する。
【００１４】
テレビジョンセット１の背面側にはＡＶ出力端子１ａが設けられており、前面側には制御信号出力端子１ｂが設けられている。ＡＶ出力端子１ａはＡＶコード２によってビデオカセットレコーダ（ＶＣＲ）３のＡＶ入力端子３ａに接続されている。テレビジョンセット１が受信した映像／音声はＡＶコード２を介してビデオカセットレコーダ３に与えられる。
【００１５】
制御信号コード４は制御信号出力端子１ｂから出力される制御信号をテレビジョンセット１のリモコン送信機１１に与えるものである。リモコン送信機１１には、図２に示しているように、制御信号コード４のジャックが装着される制御信号入力端子１１ａが設けられている。この制御信号入力端子１１ａはスイッチＳＷ１に接続されている。
【００１６】
スイッチＳＷ１はリモコン送信機１自体の制御信号（テレビジョンセット１用の制御信号）を赤外発光ダイオード１１ｂに供給するか又は制御信号コード４を介して与えられるテレビジョンセット１からの制御信号（ビデオカセットレコーダ３用の制御信号）を赤外発光ダイオード１１ｂに供給するかを切り替えるものであり、制御信号入力端子１１ａに制御信号コード４のジャックが装着されているときにはテレビジョンセット１からの制御信号を赤外発光ダイオード１１ｂに供給する。スイッチＳＷ１の切替は、制御信号入力端子１１ａに制御信号コード４のジャックが装着されることで自動的に行なわれる。例えば、挿入されたジャックに押されて機械的にスイッチＳＷ１の作動片が移動する機構を採用することでスイッチＳＷ１を切り替えることができる。勿論、ジャックの挿入を電子的に検出し、スイッチＳＷ１を電子的にスイッチングさせるようにしてもよい。
【００１７】
ユーザがテレビジョンセット１のリモコン送信機１１を用いて録画予約の指令を与えると（このときには、制御信号コード４は接続しない）、リモコン送信機１１からはテレビジョンセット１に対する本来の制御信号が出力され、テレビジョンセット１は録画指令を認識し、受信開始時刻情報や受信チャンネル情報などをメモリに格納する。ユーザは、リモコン送信機１１を用いてテレビＯＦＦした後、制御信号コード４をリモコン送信機１１とテレビジョンセット１に接続し、リモコン送信機１１の発光部がビデオカセットレコーダ３の受光部に向くようにリモコン送信機１１を置いておく。
【００１８】
リモコン送信機１１がビデオカセットレコーダ３のすぐ近くに置かれた状態では、ビデオカセットレコーダ３に与えられるリモコン信号の相対的な強度が高くなり、直接入力のリモコン信号と何かに反射して入力されたリモコン信号とによってビデオカセットレコーダ３が誤動作するおそれがある。そこで、リモコン送信機１１にスイッチＳＷ２を設け、ユーザ操作で赤外発光ダイオード１１ｂの発光強度を低くできるようにしている。赤外発光ダイオード１１ｂは、直列接続された第一抵抗Ｒ１と第二抵抗Ｒ２とを介して接地されており、前記スイッチＳＷ２によって第一抵抗Ｒ１及び第二抵抗Ｒ２の両方が電流制限抵抗として機能する状態と第二抵抗Ｒ２だけが電流制限抵抗として機能する状態（第一抵抗Ｒ１は短絡）を選択することができる。ユーザはリモコン送信機１１の通常使用時にはスイッチＳＷ２をｃ側に操作して発光強度が高くなるようにしておき、リモコン送信機１１のＶＣＲ制御使用時には、スイッチＳＷ２をｄ側に操作して発光強度を低くさせる。なお、ユーザ操作でスイッチＳＷ２が動作される構成に限るものではなく、スイッチＳＷ１と同様、制御信号コード４のジャック装着によってスイッチＳＷ２が自動的に切り替わるようになっていてもよい。
【００１９】
テレビジョンセット１は、予約番組の放送開始時になると、受信チャンネル設定処理及び受信処理を実行して映像／音声をＡＶコード２に出力すると共に、ビデオカセットレコーダ３の電源ＯＮ及び録画開始を示す制御信号を制御信号出力端子１ｂから出力する。この制御信号は、制御信号コード４を介してリモコン送信機１１に与えられ、リモコン送信機１１の赤外発光ダイオード１１ｂが制御信号に対応して明滅することでビデオカセットレコーダ３用のリモコン信号を送出する。このリモコン信号はビデオカセットレコーダ３の受光部に与えられ、ビデオカセットレコーダ３は電源ＯＮして録画処理を開始する。なお、テレビジョンセット１のメモリには各社のビデオカセットレコーダ用のリモコンコード情報が格納されており、ユーザは初期設定時にメニュー画面で設定画面を表示させ、ビデオカセットレコーダ３用のリモコンコード情報を選択しておく。
【００２０】
テレビジョンセット１は、録画予約がなされてから予約を実行するまでの間、制御信号コード４をリモコン送信機１１に装着することを促すメッセージを所定のタイミングで出力する。予約録画実行のためには制御信号コード４がリモコン送信機１１に接続されていることが必要であり、上記メッセージが出力されることで、制御信号コード４の装着忘れが防止される。前記メッセージは、例えば「録画予約されていますので、コードをリモコンに装着してください」といった音声メッセージ或いは、ＯＳＤ（オンスクリーンディスプレイ）機能を用いた文字メッセージを採用できる。また、かかる要求を示すアイコン（絵文字）を画面隅に表示しておくようにしてもよい。上記音声メッセージや文字メッセージを出力するタイミングは、例えば、テレビＯＮ或いはテレビＯＦＦ操作がなされた際の数秒間とすることが考えられる。音声メッセージの場合はテレビＯＦＦのときでも出力することができる。アイコンメッセージは録画予約がなされてから予約を実行するまで常時表示することとしてもよい。
【００２１】
【発明の効果】
以上説明したように、この発明によれば、放送受信装置が録画装置に制御信号を送出するコントロールシステムにおいて低コスト化と見栄えの向上を図ることができるという効果を奏する。
【図面の簡単な説明】
【図１】この発明の実施形態のコントロールシステムを示した説明図である。
【図２】図１のコントロールシステムにおけるリモコン送信機の構成を示した回路図である。
【図３】従来のコントロールシステムを示した説明図である。
【符号の説明】
１    テレビジョンセット
２    ＡＶコード
３    ビデオカセットレコーダ
４    制御信号コード
１１  リモコン送信機
【図１】
2004235900.tif 000003
【図２】
2004235900.tif 000004
【図３】
2004235900.tif 000005